(57)【要約】【課題】  動画及び静止画の確認表示を同時に行うことができ、必要な静止画のみ保存することができる撮像装置を提供する。【解決手段】  デジタルカメラ１０は、撮影中の動画を表示するＬＣＤ５２と、撮影した静止画を表示するＬＣＤ５４とを有する。動画用シャッタボタン４４が押されると撮像されたデジタル画像データが動画処理部２８から出力され、ＬＣＤ制御部３２によりＬＣＤ５２に表示され、ＬＣＤ制御部３４によりＬＣＤ５４に表示される。動画撮影中に静止画シャッタボタン４６が押されると、撮像されたデジタル画像データが静止画処理部２６から出力され、ＬＣＤ制御部３４によりＬＣＤ５４に表示される。ＯＫボタン４８が押されると、静止画が記録メディア５６に保存される。【選択図】  図１
2006166131.tif 000002
【特許請求の範囲】
【請求項１】
光学結像を光電変換する撮像素子と、
動画の撮影を指示する動画撮影指示手段と、
前記動画撮影指示手段による指示に基づいて前記撮像素子が出力する信号から動画を生成する動画処理手段と、
静止画の撮影を指示する静止画撮影指示手段と、
前記静止画撮影指示手段による指示に基づいて前記撮像素子が出力する信号から静止画を生成する静止画処理手段と、
前記生成された動画又は静止画を保存する記憶手段と、
を有する撮像装置において、
前記動画処理手段により動画を生成中に前記静止画撮影指示手段により静止画の撮影が指示されたときに、前記静止画処理手段により静止画を生成し、前記動画と前記静止画の両方を同時に表示する表示手段を具備したことを特徴とする撮像装置。
【請求項２】
前記表示手段は、１つの表示パネルに前記生成中の動画と前記生成した静止画の両方を同時に表示することを特徴とする請求項１に記載の撮像装置。
【請求項３】
前記表示手段は、前記生成中の動画を表示する第１の表示パネルと、前記生成した静止画を表示する第２の表示パネルとを具備したことを特徴とする請求項１に記載の撮像装置。
【請求項４】
前記生成した静止画を前記記憶手段に保存するか否かを選択する選択手段をさらに具備したことを特徴とする請求項１から３のいずれかの項に記載の撮像装置。
【発明の詳細な説明】
【技術分野】
【０００１】
本発明は、ＣＣＤ（Ｃｈａｒｇｅ  Ｃｏｕｐｌｅｄ  Ｄｅｖｉｃｅ）等の撮像素子を用いて動画及び静止画の撮影を行う撮像装置に関する。
【背景技術】
【０００２】
従来、動画撮影中に静止画撮影を行うことができるデジタルカメラとしては、特許文献１に記載されているように、連続撮影した静止画像に基づいて動画ファイルを生成するものがある。また、特許文献２に記載されているように、動画撮影を一時中断して静止画撮影を行い、静止画撮影中の動画が途切れないよう静止画撮影時間に応じた補完画像を生成して動画撮影を再開するものがある。
【特許文献１】特開２００３−２４４６１４号公報
【特許文献２】特開２００４−２０７８０５号公報
【発明の開示】
【発明が解決しようとする課題】
【０００３】
特許文献１に記載の技術によれば、動画撮影中の静止画確認や編集は行えず、静止画撮影に失敗したデータも保存されるので動画記録時間が少なくなってしまう。また、特許文献２に記載の技術によれば、静止画撮影中に動画を確認することができない。
本発明は、上記の事情を考慮してなされたものであり、その目的は、動画及び静止画の確認表示を同時に行うことができ、必要な静止画のみ保存することができる撮像装置を提供することである。
【課題を解決するための手段】
【０００４】
本発明は上記の課題を解決するためになされたもので、請求項１に記載の発明は、光学結像を光電変換する撮像素子と、動画の撮影を指示する動画撮影指示手段と、前記動画撮影指示手段による指示に基づいて前記撮像素子が出力する信号から動画を生成する動画処理手段と、静止画の撮影を指示する静止画撮影指示手段と、前記静止画撮影指示手段による指示に基づいて前記撮像素子が出力する信号から静止画を生成する静止画処理手段と、前記生成された動画又は静止画を保存する記憶手段と、を有する撮像装置において、前記動画処理手段により動画を生成中に前記静止画撮影指示手段により静止画の撮影が指示されたときに、前記静止画処理手段により静止画を生成し、前記動画と前記静止画の両方を同時に表示する表示手段を具備したことを特徴とする撮像装置である。
【０００５】
請求項２に記載の発明は、請求項１に記載の撮像装置において、前記表示手段は、１つの表示パネルに前記生成中の動画と前記生成した静止画の両方を同時に表示することを特徴とする。
【０００６】
請求項３に記載の発明は、請求項１に記載の撮像装置において、前記表示手段は、前記生成中の動画を表示する第１の表示パネルと、前記生成した静止画を表示する第２の表示パネルとを具備したことを特徴とする。
【０００７】
請求項４に記載の発明は、請求項１から３のいずれかの項に記載の撮像装置において、前記生成した静止画を前記記憶手段に保存するか否かを選択する選択手段をさらに具備したことを特徴とする。
【発明の効果】
【０００８】
本発明によれば、動画と静止画を表示する領域を別々に設けることにより、動画撮影中であっても動画と静止画の両方を同時に表示して確認することができる。また、撮影した静止画を保存する否かを選択可能とすることによりメモリ容量を有効に活用できる。
【発明を実施するための最良の形態】
【０００９】
以下、図面を参照し、本発明の実施の形態について、撮像装置であるデジタルカメラ１０を例として説明する。図１はこの実施の形態におけるデジタルカメラ１０の構成を示すブロック図である。デジタルカメラ１０の鏡筒１２を通して結像される被写体像に応じてＣＣＤ１６が電気信号を出力し、この電気信号から生成されるデジタル画像データがＲＡＭ５８に一時的に記憶され、ユーザの選択により記録メディア５６に保存される。
【００１０】
鏡筒１２はＣＣＤ１６に被写体を結像させるレンズ、このレンズを駆動する焦点調整モータ、ズームモータ等を含んで形成されている。モータドライバ１４はこれらのモータを駆動することにより焦点調整、倍率調整を行う。
鏡筒１２のレンズによりＣＣＤ１６に結像される被写体の光像は、ＣＣＤ１６において画像信号に光電変換される。すなわち、ＣＣＤ１６の各画素で受光された画素信号の信号列からなるアナログの電気信号として出力される。
【００１１】
ＴＧ（タイミングジェネレータ）２０は、ＣＣＤ１６及びＡＦＥ（アナログフロントエンド）１８を制御するための各種のタイミング信号を生成し、これらに供給する。また、ＴＧ２０は、画像信号処理部２４がＡＦＥ１８からデジタル画像データの読み込みを行うタイミング信号を画像信号処理部２４へ出力する。
ＡＦＥ１８は、ＴＧ２０から入力されるタイミング信号に基づいて、ＣＣＤ１６から入力される各画素信号のＲ（赤）、Ｇ（緑）、Ｂ（青）の色成分をデジタル信号に変換し、デジタル画像データとして画像信号処理部２４へ出力する。
【００１２】
バックエンド２２は、ＬＣＤ（液晶ディスプレイ）、メモリ、外部インタフェース等を制御する制御部、撮像を制御する画像信号処理部２６、これら全体を制御するＣＰＵ（中央演算処理装置）３０から構成されるＤＳＰ（デジタルシグナルプロセッサ）である。
【００１３】
画像信号処理部２４の静止画処理部２６及び動画処理部２８は、オートフォーカス制御、自動露出制御を行い、ＡＦＥ１８から出力されるデジタル画像データをバスライン４２へ出力する。オートフォーカス制御は、モータドライバ１４に対して鏡筒１２の焦点調整モータを駆動する信号を送信することにより合焦制御を行う。自動露出制御は、モータドライバ１４及びＴＧ２０を制御することにより鏡筒１２のレンズの絞りとＣＣＤ１６のシャッタースピードすなわち電荷蓄積時間を調節して行う。動画撮影においては連続撮影によって１秒間に所定フレーム数のデジタル画像データが得られるようにレンズの絞りとシャッタースピードを設定する。
【００１４】
ＣＰＵ３０は、メモリ制御部３８によって制御されるフラッシュＲＯＭ（リードオンリメモリ）６０に記憶された制御プログラムに基づき各部を制御し、また、各操作ボタンの操作によりバスライン４２に出力された信号を検知して各部の動作を制御する。また、上記のように静止画処理部２６又は動画処理部２８からバスライン４２へ出力されたデジタル画像データをＲＡＭ５８に一時的に記憶させた後、このデジタル画像データについてホワイトバランス調整及びＹＣ信号処理を行う。ホワイトバランス調整は、光源の違いによる画像の色の偏りを補正し、白い被写体が白く再現されるように、ＡＦＥ１８から出力されるデジタル画像データのＲ、Ｇ、Ｂの各色成分のレベル変換を行う。ＹＣ信号処理は、輝度信号Ｙとクロマ信号Ｃｒ、Ｃｂを生成する。これらにより表示可能なデジタル画像データが得られる。
【００１５】
メモリ制御部３８は、ＲＡＭ（ランダムアクセスメモリ）５８及びフラッシュＲＯＭ６０を制御し、ＣＰＵ３０からの指示によりデータの読み出し又は書き込みを行う。フラッシュＲＯＭ６０はＣＰＵ３０が実行する制御プログラム及び定数データを記憶する。ＲＡＭ５８は撮像によって得られるデジタル画像データを一時的に記憶する他、ＣＰＵ３０の処理におけるデータを記憶する。
【００１６】
デジタルカメラ１０は、撮像によって得られるデジタル画像データや各種情報の表示手段としてＬＣＤ５２、ＬＣＤ５４の２つの表示パネルを有する。ＬＣＤ制御部３２がＬＣＤ５２を制御し、ＬＣＤ制御部３４がＬＣＤ５４を制御する。各ＬＣＤ制御部は入力されるデジタル画像データのＤ／Ａ（デジタル／アナログ）変換、増幅を行い、各ＬＣＤへ出力する。図２はデジタルカメラ１０を背面から見た斜視図であり、ＬＣＤ５２、ＬＣＤ５４はそれぞれ、動画撮影用表示を行う表示パネル、静止画撮影用表示を行う表示パネルである。
【００１７】
図１に戻り、メモリカード制御部３６は記録メディア５６に対するデータの書き込み又は読み出しを行う。外部インタフェース部４０はＵＳＢ端子６２を介して図示しない外部機器との間のデータ送受信を制御する。また、デジタルカメラ１０は、操作ボタンとして、動画用シャッタボタン４４、静止画用シャッタボタン４６、ＯＫボタン４８、Ｃａｎｃｅｌボタン５０を有し、これらは例えば図２に示すようにデジタルカメラ１０の筐体に配置されている。また、操作ボタン７０から７４は、「動画撮影モード」、「静止画撮影モード」の選択、その他の操作に用いられる。これらの操作ボタンはユーザによって操作されると対応する信号をバスライン４２へ出力する。
【００１８】
次に上述したデジタルカメラ１０の動作を説明する。図３はデジタルカメラ１０の動作を示すフローチャートである。
まず、デジタルカメラ１０が「動画撮影モード」、「静止画撮影モード」のいずれに設定されているか判定を行う（ステップＳ１）。ユーザが操作ボタンを操作して「動画撮影モード」に設定していた場合は判定結果が「ＹＥＳ」となり、ステップＳ２へ進む。一方、ユーザが「静止画撮影モード」に設定していた場合には判定結果が「ＮＯ」となり、処理を終了する。
ステップＳ２において、動画用シャッタボタン４４が押されたか判定が行われる。ユーザが動画用シャッタボタン４４を押すと判定結果が「ＹＥＳ」となり、ステップＳ３へ進む。動画用シャッタボタン４４が押されなければ判定結果が「ＮＯ」となり、ステップＳ２へ戻る。
【００１９】
ステップＳ３において、動画撮影が開始される。動画処理部２８は、前述のオートフォーカス制御及び自動露出制御を行い、１秒間に所定フレーム数のデジタル画像データをバスライン４２へ出力する。このデジタル画像データはＣＰＵ３０によってメモリ制御部３８を介してＲＡＭ５８に一時的に記憶され、前述のホワイトバランス調整及びＹＣ信号処理が行われた後、ＬＣＤ制御部３２、ＬＣＤ制御部３４それぞれに入力される。ＬＣＤ制御部３２に入力されたデジタル画像データはＬＣＤ５２に表示され、ＬＣＤ制御部３４に入力されたデジタル画像データはＬＣＤ５４に表示される。すなわち、ＲＡＭ５８には動画が記憶され、ＬＣＤ５２とＬＣＤ５４の両方に同じ動画が表示される。
【００２０】
次に、ステップＳ４において、静止画用シャッタボタン４６が押されたか判定が行われる。ユーザが静止画用シャッタボタン４６を押すと判定結果が「ＹＥＳ」となり、ステップＳ５へ進む。静止画用シャッタボタン４６が押されなければ判定結果が「ＮＯ」となり、ステップＳ１０へ進む。
ステップＳ５において、静止画撮影が行われる。静止画処理部２６は、動画処理部２８によって既にオートフォーカス制御及び自動露出制御がされているので、静止画シャッタボタン４６が押されたときにＡＦＥ１８から出力されたデジタル画像データをバスライン４２へ出力する。このデジタル画像データはＣＰＵ３０によってメモリ制御部３８を介してＲＡＭ５８に一時的に記憶され、前述のホワイトバランス調整及びＹＣ信号処理が行われた後、ＬＣＤ制御部３４に入力される。ＬＣＤ制御部３４に入力されたデジタル画像データはＬＣＤ５４に表示される（ステップＳ６）。
【００２１】
このときデジタルカメラ１０の背面の２つの表示パネルであるＬＣＤ５２及びＬＣＤ５４は、図４に示すように表示が行われている。すなわち、動画撮影用表示を行うＬＣＤ５２には撮影中の動画が表示され、静止画撮影用表示を行うＬＣＤ５４には静止画処理部２６から出力されたデジタル画像データが静止画として表示される。ＬＣＤ５４にはさらにメッセージとして、現在表示されている静止画を保存するか否かをＯＫボタン４８又はＣａｎｃｅｌボタン５０を押して選択するよう表示される。
ステップＳ７において、ＯＫボタン４８が押されたか判定が行われる。ユーザがＯＫボタン４８を押すと判定結果が「ＹＥＳ」となり、ステップＳ８へ進む。ユーザがＣａｎｃｅｌボタン５０を押すと判定結果が「ＮＯ」となり、ステップＳ９へ進む。
【００２２】
ステップＳ８において、静止画の保存が行われる。ＣＰＵ３０は、ステップＳ５においてＲＡＭ５８に一時的に記憶されたデジタル画像データをメモリカード制御部３６に出力して記録メディア５６に保存させ、ＲＡＭ５８から消去する。一方、ステップＳ９においては、このデジタル画像データを記録メディア５６には保存せずにＲＡＭ５８から消去する。
【００２３】
次に、ステップＳ１０において、メモリ残量の計算が行われる。例えば、動画又は静止画の保存に用いられるメモリ容量が動画１フレームと静止画１枚について同じとし、記録メディア５６が動画又は静止画を何も保存していない状態で、動画ならｎフレーム、静止画ならｎ枚のデジタル画像データを保存できたとする。既にｍフレーム分の動画を撮影して記録メディア５６に保存した場合は、新たに保存した静止画１枚分の記憶容量も含めて減算し、記録メディア５６の残量は動画（ｎ−ｍ−１）フレーム分となる。予め設定された１秒間に撮影する動画フレーム数をｋとすると、（ｎ−ｍ−１）をｋで割った値が記録メディア５６に動画を保存することができる残りの時間となる。ステップＳ１１において、この値を動画撮影用表示を行うＬＣＤ５２に表示する。
【００２４】
次に、ステップＳ１２において、動画用シャッタボタン４４が押されたか判定が行われる。ユーザが動画用シャッタボタン４４を押すと判定結果が「ＹＥＳ」となり、ステップＳ１３へ進む。動画用シャッタボタン４４が押されなければ判定結果が「ＮＯ」となり、ステップＳ３へ戻る。なお、既に動画撮影は開始しているのでステップＳ３においては動画撮影を継続して行う。
ステップＳ１３において、動画の保存が行われる。ＣＰＵ３０はＲＡＭ５８に一時的に記憶されたデジタル画像データをメモリカード制御部３６に出力して記録メディア５６に保存させ、ＲＡＭ５８から消去する。以上で動画撮影の処理は終了する。
【００２５】
なお、上記の実施形態においては、動画を表示する表示手段としてＬＣＤ５２、静止画を表示する表示手段としてＬＣＤ５４の２つの表示パネルを設けたが、表示パネルは１つでもよい。この場合、表示パネルにおいて動画を表示する領域と静止画を表示する領域とを分けてもよいし、表示パネルの表示領域の全体に動画を表示し、静止画の撮影が行われたときに表示パネルの一部の領域に動画を表示せずに静止画を表示してもよい。
【産業上の利用可能性】
【００２６】
本発明は、デジタルカメラ、ＣＣＤカメラを搭載した携帯電話機、その他、撮像装置を搭載した機器に用いられる。
【図面の簡単な説明】
【００２７】
【図１】本発明の実施形態によるデジタルカメラ１０の構成を示すブロック図である。
【図２】デジタルカメラ１０を背面から見た斜視図である。
【図３】デジタルカメラ１０の動作を示すフローチャートである。
【図４】デジタルカメラ１０の２つの表示パネルの表示内容を示す図である。
【符号の説明】
【００２８】
１０…デジタルカメラ
１２…鏡筒
１４…モータドライバ
１６…ＣＣＤ
１８…ＡＦＥ
２０…ＴＧ
２２…バックエンド
２４…画像信号処理部
２６…静止画処理部
２８…動画処理部
３０…ＣＰＵ
３２、３４…ＬＣＤ制御部
３６…メモリカード制御部
３８…メモリ制御部
４０…外部インタフェース部
４２…バスライン
４４…動画用シャッタボタン
４６…静止画用シャッタボタン
４８…ＯＫボタン
５０…Ｃａｎｃｅｌボタン
５２、５４…ＬＣＤ
５６…記録メディア
５８…ＲＡＭ
６０…フラッシュＲＯＭ
６２…ＵＳＢ端子
【図１】
2006166131.tif 000003
【図２】
2006166131.tif 000004
【図３】
2006166131.tif 000005
【図４】
2006166131.tif 000006